(57)【要約】      （修正有）【課題】バスト周辺の身体外観の整形をする効果を有するブラジャーを提供する。【解決手段】カップ部３、カップ部土台布８、ストラップ５、バック布を有するブラジャーにおいて、ストラップ５が結合されるカップ部上端からカップ部脇下に沿い、カップ部土台布８の上端に至る曲線上に接合された前脇下当布１１を設けた。前脇下当布１１は、カップ部土台布８の左右脇線上において最大幅を有し、カップ部土台布８上端に沿いストラップ５が結合されるカップ部上端４に向かって収斂する形状に構成する。【選択図】図１
0003150196.tif 000002
【実用新案登録請求の範囲】
【請求項１】
カップ部、カップ土台布部、ストラップ、バック布を含むブラジャーにおいて、ストラップが結合されるカップ部上端からカップ部脇下に沿い、カップ部土台布の上端に至る曲線上に接合された前脇下当布を設けてなるブラジャー。
【請求項２】
上記前脇下当布が、カップ土台布部の左右脇線上において最大幅を有し、カップ部上端からカップ部脇下に沿いカップ部上端に向かって収斂する形状に構成されている請求項１に記載のブラジャー。
【請求項３】
上記カップ土台布部、バック布及び前脇下当布がパワーネットで構成されていることを特徴とする請求項１又は請求項２に記載のブラジャー。
【考案の詳細な説明】
【技術分野】
【０００１】
本考案は、装着感に優れバストの成形効果を高めると共に、バスト周辺の身体補形を行うブラジャーに関する。
【背景技術】
【０００２】
従来、女性身体の補整成形を目的としてブラジャー、ガードル、ボディスーツ等の種々の衣類が使用されている。そして乳房を保持し、胸部を美しく整えるために種々の形状のブラジャーが提案されているが、近年、補整効果のみならず、着用時の装着感の向上が求められるようになり、胸部カップの下方にワイヤー等の補整材を挿入せずに乳房の成形効果を高める工夫が多々なされている。
【０００３】
また、ブラジャーの成形効果を高めるために、乳房左右カップの下端部から脇側部にかけて、カップ下のバージスラインの下方に縫着されたカップから遊離したサポート布を設けてバストを上方へ引き上げることも提案されている。（特許文献１、特許文献２）しかしながら、これらのブラジャーにおいては、乳房の引き上げ引き寄せ効果を高めることにあって、それ以外の点についての考慮はなされていない。
【０００４】
一方、ブラジャーを着用した際に、ストラップやバック布、カップ脇等のブラジャー端部において、胸部の肉が押さえられた反動で周辺の肉がせりあがり、タイトな服又は薄地の衣類を身に着けたときに、この肉のせりあがりが服の上から目立つことがある。このような状態は美観を損ねることになり望ましくないと言える。しかし、これらの問題を積極的に軽減する構造を持ったブラジャーは見受けられない。
【先行技術文献】
【特許文献】
【０００５】
【特許文献１】特開平７−９７７０１号公報
【特許文献２】特開２００７−１５４３２６号公報
【考案の概要】
【考案が解決しようとする課題】
【０００６】
本考案は、上述の女性身体の補形、成形を目的とするブラジャーにおいて、着用時に左右カップ部の脇側端部において身体の肉を押さえることの反動で前脇下の肉がせりあがり、タイトな服又は薄地の衣類を身に着けたときに表に段差として響くのを軽減し、バスト周辺の身体外観の補形をする効果を有するブラジャーを提供することを目的とする。
【課題を解決するための手段】
【０００７】
本考案のブラジャーは、カップ部、カップ部土台布、ストラップ、バック布を有するブラジャーにおいて、ストラップが結合されるカップ部上端からカップ部脇下に沿い、カップ部土台布の左右脇線上端に至る曲線上に接合された前脇下当布を設けたブラジャーである。前脇下当布の形状は特に限定されるものではないが、カップ土台布の左右脇線上において最大幅を有し、カップ部のカップ部脇下に沿いストラップが結合されるカップ部上端縁に向かって収斂する形状に構成する。また、前脇下当布に使用する素材はパワーネットが好ましい。
【考案の効果】
【０００８】
本考案のブラジャーは、ストラップが結合されるカップ上端からカップ部のカップ脇下に沿いカップ土台布の左右脇線上端に至る曲線上に接合された前脇下当布を設けているので、ブラジャーの緊締力によりバスト部を引き寄せ、ストラップによってバストを上方に引き上げる際に生じる左右のカップと両腕脇下に生じる肉の盛り上がり、たるみ部分を前脇下当布で被覆して押さえ、この部分を平坦に目立たなくすることが出来る。
【図面の簡単な説明】
【０００９】
【図１】図１は、本考案のブラジャーの第一の実施態様を示す正面図である。
【図２】図２は、図１に示した本考案のブラジャーの背面図である。
【考案を実施するための形態】
【００１０】
ブラジャー本体１の前身頃２は、図１に示すように、バストの形状に合わせた凸状カップ部３，３と、カップ部上端４，４に接合されているストラップ５，５、カップ部の下縁に沿ったバージスライン６の下方に縫着され左右脇線７，７に至るカップ土台布８を有する。特に限定はされないが、凸状カップ部３，３、ストラップ５，５、左右脇線７，７に設けたカップ土台布８は、端部の始末不要なパワーネットで構成すれば、ブラジャー各部の縫合部分の盛り上がりがなく、薄手の上衣を着用した場合も、身体の線を美しく見せることが出来る。しかしながら、後述する本考案特徴は、パワーネット使用のブラジャーに限定されるものではなく、従来より知られている、いずれの形状のブラジャーであっても適用可能である。
【００１１】
本考案のブラジャーにおいては、ストラップ５，５が結合される左右カップ部上端４，４のカップ部上端縁９，９からカップ部左右脇下端縁１０，１０に沿い、カップ土台布８の左右脇線７，７の上端に至るように前脇下当布１１を前方左右脇下に設けたことを特徴とする。前脇下当布１１は、ブラジャーを着用した時にストラップ５，５やカップ部３，３、カップ土台布８により身体の肉が押さえられる反動で、ブラジャー端部外側において身体の肉がせり上がるのを覆い隠すことが出来る。前脇下当布１１は、左右のカップ部の左右脇下端縁１０と前腕脇下との間に盛り上がる肉のたるみ部分に生ずる段差を覆い隠せる形状であって、そのような作用を有する厚みと強度を持った生地を使用することが好ましい。尚、図１のブラジャーにおいては、前脇下当布１１は、カップ部３，３の左右脇下端縁１０，１０に沿いカップ土台布８の左右脇線７，７の延長部位に至るように設けているが、ブラジャー形状によっては、前脇下当布１１は、カップ部３，３に沿いカップ部を支持するカップ土台布８の両上端に連続して形成することも出来る。
【００１２】
上記のような作用効果を勘案すると、前脇下当布１１の形状は、特に制限はされないが、厚みのある伸縮性地で形成する場合は、前脇下当布１１は、図１に示したようにカップ土台布８の左右脇線７，７の延長線に位置する部分において最大幅を有し、且つカップ左右脇下端縁１０に沿い左右カップ部上端縁９，９に向かって収斂するように構成されていることが好ましい。
【００１３】
図２に示したブラジャー後身頃１２の形状は、従来知られているように、カップ部３，３上端４，４に結合され、任意の箇所に長さ調整具１３を儲けてなり、左右バック布１４、１４の上端に結合されたストラップ５，５と、掛脱自在な掛け止め具１５を設けた左右バック布１４，１４とより構成されている。図２において、左右のバック布１４，１４は、それぞれ左右脇線７，７においてカップ土台布８と前脇下当布１１とに縫合される。ブラジャー後身頃の構成は任意であり、本考案の前脇下当布の補形効果を達成できるものであれば、図２の形状に限定されるものではない。
【００１４】
更に、前脇下当布１１は、前脇下の肉のたるみ部分を被覆するのみでなく、ストラップ４，４に沿って更に上方へ延びるよう、装飾布としても作用するようブラジャー前身頃バスト脇からストラップ部の任意の部分にかけて縫着することもできる。この場合、前脇下当布としては、適宜な伸縮性を有し、外観上好ましい生地を使用する。
【００１５】
本考案のブラジャーは、脇下からカップ部土台布の上端よりカップ左右脇側上端に沿いブラジャー着用者の腕下に沿って、前脇下当て布を設けているので、ブラジャーの緊締力によりバスト部を引き寄せ、ストラップによってバストを上方に引き上げる際に生じる左右のカップと両腕脇下に生じる肉のたるみ部分を前脇下当布で被覆して押さえ、平坦に目立たなくすることが出来る。
【符号の説明】
【００１６】
１  ブラジャー本体
２  前身頃
３  カップ部
４  カップ部上端
５  ストラップ
６  バージスライン
７  脇線
８  カップ土台布
９  カップ部上端縁
１０  カップ脇下端縁
１１  前脇下当て布
１２  後身頃
１３  長さ調節具
１４  バック布
１５  掛け止め具 
【図１】
0003150196.tif 000003
【図２】
0003150196.tif 000004